(57)【特許請求の範囲】
【請求項１】
揚穀用スパイラルコンベヤーと、該揚穀用スパイラルコンベヤーの外周を囲う如く筒状に形成された小米選別網と、を筺体内に収容してなる小米選別機において、該小米選別網の外周に設けられ、且つ該小米選別網の軸方向に摺動して目詰まり米を除去する目詰まり米除去手段を設け、該目詰まり米除去手段を小米選別網の軸方向に摺動させる摺動操作手段を筺体の外部に臨ませて設けたことを特徴とする小米選別機。
【請求項２】
目詰まり米除去手段を小米選別網の軸方向に摺動させる摺動操作手段が、小米選別網の軸方向に摺動自在に設けられ、且つ一端が目詰まり米除去手段に接続され、他端が筺体の外部に臨んで設けられた摺動用ロッドであることを特徴とする請求項１記載の小米選別機。
【請求項３】
揚穀用スパイラルコンベヤーと、該揚穀用スパイラルコンベヤーの外周を囲う如く筒状に形成された小米選別網と、を筺体内に収容してなる小米選別機において、該小米選別網の外周に巻き付けられて設けられ、且つ該小米選別網の軸方向に摺動して目詰まり米を除去するコイルバネを設けたことを特徴とする小米選別機。
【請求項４】
コイルバネを小米選別網の軸方向に摺動させる摺動操作手段を筺体の外部に臨ませて設けたことを特徴とする請求項３記載の小米選別機。
【請求項５】
コイルバネを小米選別網の軸方向に摺動させる摺動操作手段が、小米選別網の軸方向に摺動自在に設けられ、且つ一端がコイルバネに接続され、他端が筺体の外部に臨んで設けられた摺動用ロッドであることを特徴とする請求項４記載の小米選別機。
【請求項６】
コイルバネの巻き線の内側に挿通して設けられたガイドリングを介してコイルバネと摺動用ロッドが接続されていることを特徴とする請求項５記載の小米選別機。
【発明の詳細な説明】
【０００１】
【発明の属する技術分野】
この発明は、各種精米機により精白された白米から小米を選別する際に用いられる小米選別機に関する。
【０００２】
【従来の技術】
従来より、筺体内に、該筺体の下から上へ白米を移送する如く設けられた揚穀用スパイラルコンベヤーと、該揚穀用スパイラルコンベヤーの外周を覆う如く筒状の小米選別網を設けてなる小米選別機を用いて小米を選別することがある。この小米選別機は、揚穀用スパイラルコンベヤーによって白米を筺体の下から上へ移送する間に小米選別網の網目から通過可能な小米を該スパイラルコンベヤーの回転遠心力によって小米選別網の外周に排出するようにして用いられるものである。
【０００３】
【発明が解決しようとする課題】
小米選別機として、上記のものを使用する場合において、その使用によって、小米選別網の網目に小米が詰まってしまうことがある。小米選別網の網目に小米が詰まってしまうと小米選別網における選別有効面積が減少し、小米の選別能力が低下してしまう。
【０００４】
小米選別網に詰まった小米は網目より除去しなければならないが、小米選別網は小米選別機の筺体内に収容されているので、筺体を開けて除去作業をしなければならないこととなる。
【０００５】
したがって、目詰まり米の除去作業をするときには、その作業は非常に面倒なもののとなる。
【０００６】
また、蓋体を開けてから除去作業をしなければならないということは、当然小米選別機の運転中に除去作業はできないこととなる。目詰まり米は短時間の運転によっても生ずるので、最良の小米選別能力を維持しつつ運転をすることは不可能ということとなる。
【０００７】
さらに、目詰まり米は運転を続ければ続けるほど多くなり、小米選別能力が著しく低下することとなるので、長時間の連続運転はできないこととなる。
【０００８】
また、目詰まり米は、一般的にはブラシ等を用いて除去するが、目詰まり米の目詰まり状態は一様ではなく、様々な状態で詰まっているので、ブラシ等を一方向に動かしていたのでは、除去できない目詰まり米があるので、ブラシ等を多方向に動かして除去しなければならないこととなり、それを小米選別網の全面に亘って行わなければならないので、その除去作業は非常に困難なものとなる。また、さらに述べれば、ブラシの場合、網目の中に毛先が入り込んでしまうので、ブラシを動かすときに抵抗が大きく動かし難いので、ブラシによる除去作業は大変困難なものとなる。
【０００９】
この発明は、上記事情に鑑み、小米選別網に目詰まりした小米を簡単に取り除くことができる小米選別機を得ることを目的とする。
【００１０】
また、小米選別機の運転中においても、小米選別網に目詰まりした米を取り除くことができる小米選別機を得ることを目的とする。
【００１１】
【課題を解決するための手段】
上記目的を達成するこの発明の小米選別機は、揚穀用スパイラルコンベヤーと、該揚穀用スパイラルコンベヤーの外周を囲う如く筒状に設けられた小米選別網と、を筺体内に収容してなる小米選別機において、該小米選別網の外周に設けられ、且つ該小米選別網の軸方向に摺動して目詰まり米を除去する目詰まり米除去手段を設け、該目詰まり米除去手段を小米選別網の軸方向に摺動させる摺動操作手段を筺体の外部に臨ませて設けた小米選別機である。
【００１２】
また、目詰まり除去手段を小米選別網の軸方向に摺動させる摺動操作手段が、小米選別網の軸方向に摺動自在に設けられ、且つ一端が目詰まり米除去手段に接続され、他端が筺体の外部に臨んで設けられた摺動用ロッドである前記小米選別機である。
【００１３】
また、揚穀用スパイラルコンベヤーと、該揚穀用スパイラルコンベヤーの外周を囲う如く筒状に設けられた小米選別網と、を筺体内に収容してなる小米選別機において、該小米選別網の外周に巻き付けられて設けられ、且つ該小米選別網の軸方向に摺動して目詰まり米を除去するコイルバネを設けた小米選別機である。
【００１４】
また、コイルバネを小米選別網の軸方向に摺動させる摺動操作手段を筺体の外部に臨ませた前記コイルバネを設けた小米選別機である。
【００１５】
また、コイルバネを小米選別網の軸方向に摺動させる摺動操作手段が、小米選別網の軸方向に摺動自在に設けられ、且つ一端がコイルバネに接続され、他端が筺体の外部に臨んで設けられた摺動用ロッドである前記コイルバネを設けた小米選別機である。
【発明の実施の形態】
この発明の小米選別機の実施の形態を添付図面の図１〜６に基づき説明する。
【００１６】
小米選別機１の最外郭を形成する筺体２は、その内部がモータ載置板３及び小米受け用傾斜板４によって上下３段に仕切られており、上から第１の隔室５、第２の隔室６及び第３の隔室７が形成されている。
【００１７】
この筺体２内には、回転軸９ａと該回転軸９ａの外周に設けられるスパイラル羽根９ｂとからなる揚穀用スパイラルコンベヤー９が、その移送方向が、筺体２の下から上に向かう方向になる如く前記第３の隔室７の下部から小米受け用傾斜板４を挿通して第２の隔室６の上部に至るまで設けられている。
【００１８】
さらに、筺体２内には、揚穀用スパイラルコンベヤー９をその外周側より覆う如く筒状に形成された筒状体１１がスパイラルコンベヤー９と同様に第３の隔室７下部から小米受け用傾斜板４を挿通して第２の隔室６の上部に至るまで設けられている。
【００１９】
この筒状体１１は、２枚の断面弧状の板１１ｃ、１１ｄを接合部１１ｂにより接合させて筒状に形成されるものであり、該筒状体１１の軸心とスパイラルコンベヤー９の回転軸９ａの軸心とが同一軸となる如く設けられている。
【００２０】
また、筒状体１１は第２の隔室６内において、該筒状体１１に複数の孔を穿設してなる小米選別網１１ａが形成されており、該選別網１１ａの各網目１１０の幅ｔは１．７〜１．８ｍｍ程度に形成されている。この小米選別網１１ａが、スパイラルコンベヤー９の外周を覆う如く筒状に設けられることによって、小米選別網１１ａの内部に小米選別室１０が形成される。
【００２１】
第１の隔室５内には、モータ載置板３に支持台８ｂを介して設置されているモータ８が固定されており、このモータ８のモータ軸８ａはモータ載置板３を挿通してスパイラルコンベヤー９の回転軸９ａと直結されている。このモータ８を駆動源としてスパイラルコンベヤー９の回転軸９ａは回転することとなる。
【００２２】
筒状体１１には、該筒状体１１内に白米を供給するための下部開口部１１ｂが設けられている。この下部開口部１１ｂは、筺体２の側面下部に形成される白米張り込みホッパー１２と連通している。また、この筒状体１１には、該筒状体１１内の白米を外部に吐出するための上部開口部１１ｃが設けられている。この上部開口部１１ｃは筺体２の側面上部に形成される白米吐出口１３と連通している。
【００２３】
小米選別室１０において、小米選別網１１ａより矢印Ａ１１の如く排出されて選別される小米は該選別網１１ａの網目より第２の隔室６中の小米落下空間６ａ中に排出され、小米受け用傾斜板４の上に落下することとなる。この小米受け用傾斜板４上に落下する小米を筺体２の外部に排出するために、該小米受け用傾斜板４の傾斜下端４ａに連続する如く筺体２の側面下部に小米排出口１４が設けられている。
【００２４】
この発明の小米選別機１は選別網１１ａに目詰まりした小米を除去する手段が筺体２内に常設して設けられるものであり、その除去手段としてのコイルバネ１５が、小米選別網１１ａの外周に圧着部１５ｃが圧着しつつ巻き付けられて環状に設けられている。このコイルバネ１５は、二本のコイルバネ１５ａ、１５ｂの巻き線の内側にそれぞれ半円状のガイドリング１６ａ、１６ｂを挿通して、コイルバネ１５ａ、１５ｂのそれぞれの両端をガイドリング１６ａ、１６ｂにそれぞれ接続し、ガイドリング１６ａ、１６ｂの両端をそれぞれ接続することにより、円環状のガイドリング１６が形成されるとともに、円環状のコイルバネ１５が形成されることとなる。
【００２５】
なお、コイルバネ１５の小米選別網１１ａに対する圧着力の強弱は、コイルバネ１５の線の長さや太さ、各巻き線部の外径や各巻き線部間のピッチ等を替えることにより任意に設定が可能となる。
【００２６】
またこのコイルバネ１５の線の長さや太さ、各巻き線部の外径や各巻き線部間のピッチ等は、選別網１１ａの網目の大きさや間隔などを考慮して適宜選択して用いられるものである。
【００２７】
この目詰まり米除去手段としてのコイルバネ１５には、その摺動操作手段としての摺動用ロッド１７が接続されている。即ち、コイルバネ１５のガイドリング１６の一方の接続部１６ｃはアーム状に延伸されており、筒状の小米選別網１１ａの軸方向、即ち矢印Ａ１５方向に摺動する摺動用ロッド１７の下端１７ｂが接続されている。この摺動用ロッド１７の上端１７ａはモータ載置板３、及び筺体２の蓋体２ａを挿通して筺体２の外部に臨んでいる。さらにこの摺動用ロッド１７の上端１７ａにはツマミ部１７ｃが形成されている。このツマミ部１７ｃを用いて摺動用ロッド１７を上下に摺動させると、それに連動してコイルバネ１５も上下に摺動することとなる。
【００２８】
なお、ガイドリング１６をコイルバネ１５の巻き線の内側に挿通させて、該ガイドリング１６を介してコイルバネ１５と摺動用ロッド１７が接続されているのでコイルバネ１５を円滑に摺動させることができる。
【００２９】
このコイルバネ１５の矢印Ａ１５方向の摺動範囲は少なくとも筒状体１１の選別網１１ａが設けられている範囲を摺動するように設定されるものである。この実施の形態においては、コイルバネ１５の摺動範囲の下限はツマミ部１７ｃが蓋体２ａの上面に当たることにより規定されている。
【００３０】
このように構成される目詰まり米除去手段としてのコイルバネ１５は、筒状体１１の選別網１１ａの外周に圧着部１５ｃが圧着しつつ選別網１１ａに対して上下方向に摺動することにより、圧着部１５ｃにより選別網１１ａに目詰まりした小米を除去するものである。また、その摺動操作を筺体２の外部に露出するツマミ部１７ｃにより行うことができるので、除去作業をする際に筺体２を開ける必要がない。
【００３１】
このコイルバネ１５の圧着部１５ｃは、目詰まり米に対して傾斜しつつ圧着することとなる。したがって、圧着部１５ｃの圧着力を目詰まり米に対して効率的に作用させることができ、目詰まり米を除去しやすくなる。
【００３２】
即ち、圧着部１５ｃが傾斜しつつ目詰まり米に圧着するということは、図５に示す様に、コイルバネ１５を、矢印Ｓ１方向、即ち選別網１１ａの上に向かう方向摺動させるとすると、目詰まり米１９に対して矢印Ａ２方向の力が作用することとなる。矢印Ａ２方向の力が作用するということは、即ち、矢印Ａ３、Ａ４方向の力が作用しているということである。したがって、コイルバネの摺動方向とは別の方向の力が作用しているということである。目詰まり米は網目の中で様々な状態で詰まっているので、その様な目詰まり米に対しては様々な方向の力が作用した方が目詰まり米を除去しやすく、上述のようにコイルバネの摺動方向とは別の方向の力が目詰まり米に作用させることができると目詰まり米を効率よく除去することができる。
【００３３】
また、さらに述べれば、摺動方向に対して圧着部１５ｃが傾斜しつつ目詰まり米に圧着しながら摺動することにより、目詰まり米は回転するように動かされて網目より解放されることとなり、目詰まり米は簡単に網目より除去されることとなる。図５に示す様に、選別網１１ａの網目１１０に詰まった目詰まり米１９に対してコイルバネ１５が、矢印Ｓ１方向に摺動するとすると、圧着部１５ｃは矢印Ｓ１方向に対して傾斜しつつ目詰まり米１９に圧着しながら移動することとなり、目詰まり米１９は、矢印Ａ１方向へ回転して、網目に詰まった状態から開放されて網目より除去されることとなる。
【００３４】
なお、上記においては目詰まり米１９が矢印Ａ１方向に回転すると述べたが、その回転方向については、目詰まり米の目詰まり状態や、圧着部１５ｃの圧着の仕方等により反転する場合もある。
【００３５】
上述の様に選別網１１ａの網目１１０に目詰まりする目詰まり米の状態は、様々な状態で詰まっているものであるが、コイルバネ１５によれば、その圧着部１５ｃにより目詰まり米に対して該目詰まり米を回転させる如く作用させることができるので、目詰まり米のその目詰まり状態の如何を問わず殆どの目詰まり米を除去することができる。
【００３６】
上述の様に、コイルバネ１５を上下方向に動かすだけで、目詰まり米に対してその上下方向以外の力が作用することとなり、さらには、目詰まり米を回転させる如く作用させることができるので、目詰まり米の除去作業を簡単に行うことができる。
【００３７】
コイルバネ１５を摺動させる際には、該コイルバネ１５の巻き線が網目の中に入り込むことがないので、摺動操作を容易に行うことができる。
【００３８】
さらに、この発明の小米選別機１は、小米受け用傾斜板４にモータ直結型の高圧風を発生する冷却ファン２０が設けられている。この冷却ファン２０は小米受け用傾斜板４の下面側、即ち、第３の隔室７側に張り出して設けられている冷却ファン収容部２１に内に収容されるものである。小米受け用傾斜板には、該冷却ファン２０により生ずる高圧風を第２の隔室側に送る送風口２２が形成されている。この冷却ファン２０は図示は省略するが小米選別機１の筺体２の外部より空気を吸引して外気温の高圧風を送風するように構成されている。
【００３９】
この冷却ファン２０によって第２の隔室６側に送風される高圧風は、風向板２３により規制されて筒状体１１の選別網１１ａが形成される部分に対してその全長の２／１程度の部分に吹き付けられるようになっている。選別網１１ａに吹き付けられる外気温の高圧風は選別網１１ａの網目より選別網１１ａの内部に形成される小米選別室１０内に矢印Ａ２０の如く噴風されることとなる。小米選別室１０内に噴風される外気温の高圧風はスパイラル羽根９によって移送されて上昇する白米に接触することとなる。
【００４０】
上述のように小米選別機１は精米機５０から直接白米を流し込む様にして用いられるのが一般的な使用法であるが、その場合に精米機５０において精白するときにその精白圧力により白米は常温よりも１０度Ｃから１５度Ｃ位温度上昇している。このように温度上昇したままの状態で白米袋６０に袋詰めすることは白米の食味を劣化させることとなるので好ましくない。したがって、白米を袋詰めする際にはできるだけ白米の温度を常温化することが望ましい。
【００４１】
本発明の小米選別機１は上述の如く冷却ファン２０を設けているので、常温よりも温度上昇している白米が小米選別機１に流し込まれ、筒状体１１内において、スパイラル羽根９によって移送されて上昇する際に冷却ファン２０の外気温の高圧風を受けることによって、常温よりも温度上昇している白米を冷却することができ、白米の食味の劣化を防ぐことができる。
【００４２】
さらに、この冷却ファン２０を設けることによって、精米機５０による精白後の白米に残留する糠を冷却ファン２０の高圧風によって吹き飛ばすことができるので、より高い品質の白米を得ることが可能となる。
【００４３】
上述の如く構成される小米選別機１を、図６に示すように、精米器５０と白米袋６０の間に介在させ、精米機５０により精白されて該精米機５０の白米吐出口５１より吐出される白米を直接白米張り込みホッパー１２より小米選別機１内に取り込み、小米選別機１内において小米を選別して該小米を小米排出口１４より排出するとともに小米を選別して取り除いた後の白米を白米吐出口１３より直接白米袋６０に吐出させるように使用する。
【００４４】
なお、シャッター２４は白米張り込みホッパー１２と筒状体１１の下部開口部１１ｂとの間を開閉するのに用いられるものであり、シャッター用ロッド２５によって上下に摺動させることにより開閉するものである。
【００４５】
次に、この発明の小米選別機１の作動について説明する。精米機５０により精白された白米は白米吐出口５１より直接小米選別機１の白米張り込みホッパー１２に落下する。該白米張り込みホッパー１２に落下した白米は筒状体１１内に流入してスパイラルコンベヤー９のスパイラル羽根９ｂの上にのる。スパイラル羽根９ｂはモータ８を駆動源として回転軸９ａが回転することにより回転しており、スパイラル羽根９ｂにのった白米は、筒状体１１の下から上へと移送されることとなる。このとき、白米はスパイラル羽根９ｂの回転による遠心力により、白米中の小米が該スパイラル羽根９ｂの外周方向に飛散することとなる。
選別網１１ａにより形成される小米選別室１０の位置に至ると、遠心力により飛散する小米が矢印Ａ１１の如く選別網１１ａの各網目を通過して小米落下空間６ａに放出される。ここでモータ８は第１の隔室５内に位置しており、該第１の隔室５は、モータ載置板３によって第２の隔室６と仕切られるものであるので、したがって、小米落下空間６ａに排出された小米がモータ８が位置する第１の隔室５に入り込むことはない。小米落下空間６ａ中に放出される小米は小米受け用傾斜板４上に落下し、その傾斜面を流下して最終的には小米排出口１４より小米選別機１の外部に排出されることとなる。また、このとき、冷却ファン２０による外気温の高圧風が矢印Ａ２０の如く小米選別室１０内に噴風されているので、スパイラルコンベヤー９によって上昇する白米にその高圧風が当たることによって、精米機５０によって精白される際に常温より温度上昇した白米は３度Ｃ〜５度Ｃ低下される。また、白米に付着している付着糠が高圧風によって吹き飛ばされる。小米選別室１０において選別網１１ａによって小米を選別し、さらに、冷却ファン２０の高圧風を受けた白米は、温度を低下しスパイラルコンベヤー９によって上昇して筒状体１１の上部開口部１１ｃの位置に至ると、該上部開口部１１ｃより白米吐出口１３を介して白米袋６０に直接収容される。
【００４６】
上述の如く選別網１１ａを用いて小米の選別をしていると、選別網１１ａの網目に小米が詰まるようになる。そのような状態になると選別網１１ａの網目の有効面積が減少することとなり、小米選別の能力が低下する。そこで、この発明の小米選別機１に目詰まり米除去手段としてのコイルバネ１５をその除去操作手段としての筺体２の蓋体２ａより露出している摺動用ロッド１７のツマミ部１７ｃを上下に操作して摺動用ロッド１７を介してコイルバネ１５を上下に何度か摺動させて目詰まり米を除去する。このとき、コイルバネ１５の圧着部１５ｃが選別網１１ａの網目に目詰まりした米に圧着しつつ摺動して、目詰まり米をコイルバネ１５によって除去するが、該コイルバネ１５の圧着部１５ｃは摺動方向に対して傾斜しているので、目詰まり米に対して圧着部１５ｃの摺動方向の力以外の方向、即ち選別網１１ａの周方向の力も作用することとなり、様々な状態で目詰まりしている目詰まり米を除去することができ、また、目詰まり米を回転させるようにも作用するので、殆どの目詰まり米がコイルバネを上下方向に動かすだけで除去することができる。
【００４７】
【発明の効果】
この発明の小米選別機は、選別網の軸方向に摺動して目詰まり米を除去する目詰まり米除去手段を設け、該目詰まり米除去手段の摺動操作手段を筺体の外部に臨ませて設けているので、筺体を開けないでも筺体の外部より目詰まり米除去操作をすることができるので、簡単に除去作業を行うことができる。
また、小米選別機の運転中においても除去作業を行うことができるので、運転中においても常に最良の小米選別能力を維持することができる。
【００４８】
また、この発明の小米選別機は、選別網の外周に巻き付けてコイルバネを設けているので、該コイルバネが摺動するときに、目詰まり米に対してコイルバネの圧着部は摺動方向に対して傾斜しつつ圧着して摺動することとなり、目詰まり米に対して摺動方向以外の力を作用させることができ、また、目詰まり米を回転させるようにも作用するので、目詰まり米のその目詰まり状態の如何に関わらずコイルバネを選別網の軸方向、即ち上下方向に摺動させるだけで目詰まり米を簡単に除去することができる。
【図面の簡単な説明】
【図１】この発明の小米選別機の実施の形態を示すもので、図４のＩ−Ｉ線断面図である。
【図２】同上の、図４のII−II線断面図である。
【図３】同上の、図１のIII線部の拡大断面図である。
【図４】同上の、外観を示す斜視図である。
【図５】同上の、コイルバネが目詰まり米に圧着する様子を示す図３のＶ線部の拡大断面図である。
【図６】この発明の小米選別機を、精米機と白米袋との間に介在させて用いるときの状態を示す図である。
【符号の説明】
１      小米選別機
２      筺体
９      揚穀揚スパイラルコンベヤー
１１    筒状体
１１ａ  小米選別網
１５    コイルバネ
１７    摺動用ロッド
【図１】
0003849172.tif 000002
【図２】
0003849172.tif 000003
【図３】
0003849172.tif 000004
【図４】
0003849172.tif 000005
【図５】
0003849172.tif 000006
【図６】
0003849172.tif 000007